(57)【要約】【課題】監視妨害に備えて異常事態を支障なく記録できる監視カメラシステムを提供する。【解決手段】同一目標を監視する２台の監視カメラ１（＃１，＃２）を用いて撮影し、監視カメラ１（＃１）は、画像認識等によりアラーム信号を生成し、そのアラーム信号を受信した制御部２は、少なくとも、他方の被監視者に見付かりにくく設置されたの監視カメラ１（＃２）が監視対象の映像を撮影、記録する制御を行うことにより監視妨害にも対応できる監視カメラシステムを提供することができる。【選択図】  図１
2005033376.tif 000002
【特許請求の範囲】
【請求項１】
異常検知手段を有した少なくとも第１および第２の監視カメラと、この第１又は第２の監視カメラによって撮影された映像信号を蓄積する蓄積手段とを具備する監視カメラシステムであって、
前記第１および第２の監視カメラによって同一の監視対象を監視し、
前記第１の監視カメラの異常検知手段によって前記監視対象の異常を検知した時、前記第２の監視カメラによって撮影された前記監視対象の映像信号を前記映像蓄積手段に蓄積する制御手段を有することを特徴とする監視カメラシステム。
【請求項２】
異常検知手段を有した少なくとも第１および第２の監視カメラと、この第１又は第２の監視カメラによって撮影された映像信号を蓄積する蓄積手段とを具備する監視カメラシステムであって、
前記第１の監視カメラを監視対象の近くに配置し、第２の監視カメラを前記監視対象から離れた位置又は隠された状態で配置して前記監視対象を同時監視し、
前記第２の監視カメラの異常検知手段によって前記監視対象の異常を検知した時、前記第２の監視カメラによって撮影された前記監視対象の映像信号を前記映像蓄積手段に蓄積する制御手段を有することを特徴とする監視カメラシステム。
【請求項３】
前記異常検知手段は、前記第１又は第２の監視カメラによって撮影された映像信号の変化を検出して異常を検出する画像認識手段によることを特徴とする請求項１または請求項２記載の監視カメラシステム。
【発明の詳細な説明】
【０００１】
【発明の属する技術分野】
本発明は、監視カメラシステムに関する。
【０００２】
【従来の技術】
従来の監視カメラシステムには、監視対象を監視するとともに、その異常事象を映像記録するものがある。その映像記録は、記録メディアの容量に制限があるので、常時は監視対象の映像撮影のみ行い、監視対象に異常が発生すると、その異常発生を検知して生成されたアラーム信号によって映像記録を開始する制御を行うものがある。
【０００３】
その異常検出は、監視対象やカメラ近傍に、たとえば、煙感知器やドアセンサなどの異常検知センサが設置される方法がある。また、画像認識技術によりカメラで撮影した映像の変化を検出して異常検知する方法もある（例えば、特許文献１参照。）。
【０００４】
このような監視カメラの設置は、心理的な防犯効果もあるので、防犯設備として多く採用されている。しかし、その一方で、監視カメラの存在に気付かれると、異常検出センサを無効にするために、カメラを壊したり、カメラレンズを覆うなどの方法で監視映像を記録できないような妨害行為が行われると、記録映像を再生することができない問題があった。
【０００５】
【特許文献１】
特開２００２−２６２２８２号公報  （第１０頁、第３図）
【０００６】
【発明が解決しようとする課題】
従来の監視カメラシステムでは、監視対象を撮影している監視カメラが壊されたりカメラレンズを覆われると、監視映像が撮影できず、異常状態を記録した映像の再生が出来ない問題があった。
【０００７】
本発明は上記問題を解決するためになされたもので、監視カメラで監視することにより、犯罪等を防止すると共に、監視妨害に備えて異常事態を支障なく記録できる監視カメラシステムを提供することを目的とする。
【０００８】
【課題を解決するための手段】
上記目的を達成するために、請求項１に記載の本発明の監視カメラシステムは、異常検知手段を有する少なくとも第１および第２の監視カメラと、この第１又は第２の監視カメラによって撮影された映像信号を蓄積する蓄積手段とを具備する監視カメラシステムであって、前記第１および第２の監視カメラによって同一の監視対象を監視し、前記第１の監視カメラの異常検知手段によって前記監視対象の異常を検知した時、前記第２の監視カメラによって撮影された前記監視対象の映像信号を前記映像蓄積手段に蓄積する制御手段を有することを特徴とする。
【０００９】
また請求項２に記載の本発明の監視カメラシステムは、異常検知手段を具備した少なくとも第１および第２の監視カメラと、この第１又は第２の監視カメラによって撮影された映像信号を蓄積する蓄積手段とを具備する監視カメラシステムであって、前記第１の監視カメラを監視対象の近くに配置し、第２の監視カメラを前記監視対象から離れた位置又は隠された状態で配置して前記監視対象を同時監視し、前記第２の監視カメラの異常検知手段によって前記監視対象の異常を検知した時、前記第２の監視カメラによって撮影された前記監視対象の映像信号を前記映像蓄積手段に蓄積する制御手段を設けたことを特徴とする。
【００１０】
【発明の実施の形態】
以下、図面を参照して本発明の実施の形態を説明する。
【００１１】
図１は、本発明の監視カメラシステムの実施の形態の構成の一例を示すブロック図である。
【００１２】
図１において、本発明の監視カメラシステムは、複数の監視カメラ１（＃１、＃２）と、この複数の監視カメラ１からアラーム信号を受信した時に映像記録制御する制御装置２と、この制御装置２からの選択信号に基づき複数の監視カメラ１からの映像を記録する映像記録装置３から構成される。
【００１３】
また、各監視カメラ１（＃１、＃２）は、監視対象２０の映像を撮影する撮像部１１と、監視対象２０の近傍に設置されるアラームセンサ１２と、撮影部１１からの画像を認識する画像認識部１３とから構成される。そして、アラームセンサ１２は、監視対象２０の近傍に設置され、たとえば、ドアスイッチ、火災検知器等の異常事態を検知するセンサである。
【００１４】
また、画像認識部１３は、撮像部１１からの映像信号を受信すると所定の画像認識アルゴリズムにより撮影画像の変化を検知して異常を検出するものであって、いわば、画像認識方式によるアラームセンサである。
【００１５】
以下、図１により、監視カメラシステムの動作を説明する。
【００１６】
監視カメラ１は、監視対象２０を監視するために複数台（ここでは、＃１、＃２の２台とする。）が設置される。監視カメラ１の撮像部１１によって撮影されて映像信号は、映像記録装置３に送信される。この場合、監視カメラ１（＃１、＃２）からの映像信号の一方、又は両方を長時間記録する際には、映像蓄積記録装置３の蓄積容量を考慮して、監視映像に異常があった場合とする。
【００１７】
この制御は、制御装置２が各監視カメラ１のアラームセンサ１２、および画像認識部１３から出力されるアラーム信号を監視して、アラーム信号を受信したときに、監視カメラ１（＃１）、（＃２）いずれか一方の映像信号を選択して映像記録装置３に記録するよう制御する。その具体的な監視制御方法について以下に説明する。
【００１８】
（第１の実施の形態）
以下、第１の実施の形態では、監視カメラ１（＃１）を副カメラ、監視カメラ１（＃２）を主カメラと設定して説明する。
【００１９】
副カメラ（監視カメラ＃１）は、通常監視対象２０の近くに設置されている。たとえば今、監視対象２０に侵入者があったとする。すると、ドアスイッチ等のアラームセンサ１２によって異常が検出されると、制御装置２にアラーム信号が送信される。また、副カメラの監視対象２０を撮影している撮影部１１からの映像信号を受信している画像認識部１３が画像処理によって侵入を検出すると、アラーム信号を生成して制御部２に送信する。
【００２０】
制御部２は、副カメラからこのいずれかのアラーム信号を受信すると、主カメラの撮影部１１が撮影している映像信号を選択する選択信号を映像記録装置３に送信し、これにより映像記録装置３は、主カメラ（監視カメラ＃２）からの映像信号を記録する。
【００２１】
この監視制御方法によれば、副カメラによって監視されていることが分かるので防犯効果がある。しかも、副カメラのアラームセンサ１２が無効化されて異常が検知できなかったり、副カメラのレンズが覆われるか壊される等の妨害を受けても、画像認識部１３によって異常検知が行われ、その時の監視対象２０の撮影映像を主カメラからの映像信号によって記録することができる。
【００２２】
なお、制御部２は、主カメラの映像信号と共に副カメラの映像信号を映像蓄積装置３に蓄積するように制御を行ってもよい。
【００２３】
また、主カメラの設置場所は、監視対象２０から離れた位置から望遠レンズで撮影を行うか、もしくは、監視対象２０の近くに、ハーフミラー、もしくはスモークガラスによる隠蔽等の方法で、監視カメラ１（＃２）の存在を被監視者に分からないように設置して撮影すると、監視妨害に対して更に効果的である。
【００２４】
この主カメラによる監視範囲は、監視対象２０だけでなく、監視対象２０と副カメラ１（＃１）を監視対象に含めるものであっても良い。
【００２５】
（第２の実施の形態）
第２の実施の形態でも、監視カメラ１（＃１）を副カメラ、監視カメラ１（＃２）を主カメラと設定する。
【００２６】
第２の実施の形態では、主カメラが異常検知すると、その主カメラが生成したアラーム信号によって主カメラによって撮影された監視対象２０の映像信号の記録を行う。
【００２７】
副カメラは、通常、監視対象２０の近くに置かれて監視対象を撮影する。一方、主カメラは、監視対象２０から離れた位置から望遠レンズでの撮影、もしくは、監視対象２０の近くにハーフミラーやスモークガラスによる隠蔽等の方法で、監視カメラ１（＃２）の存在を被監視者に分かり難くして設置され撮影をする。
【００２８】
たとえば今、監視対象２０に侵入者が侵入したとする。すると、主カメラの撮影部１１からの映像信号を受信している画像認識部１３は、画像認識によって侵入を検出して、アラーム信号を生成して制御部２に送信する。
【００２９】
制御部２は、このアラーム信号を受信すると主カメラの撮影部１１が撮影している映像信号を選択する選択信号を映像記録装置３に送信し、その選択信号に基づき映像記録装置３は、主カメラの撮影部１１が撮影している映像信号を記録する。
【００３０】
この第２の実施の形態では、主カメラのアラームセンサ１２がアラーム信号を生成してもよい。また、この第２の実施の形態でも副カメラによって監視されていることが分かるので防犯効果がある。そして、第１の実施の形態と同様に副カメラのレンズが覆われたり、壊される等の妨害を受けた副カメラの映像信号を記録できなくても、主カメラによって撮影した監視対象の映像を記録することができる。
【００３１】
また、第２の実施の形態でも、制御部２は、副カメラからの映像信号を取得して、主カメラの映像信号と共に副カメラの映像信号を映像蓄積装置３に蓄積する制御を行ってもよい。
【００３２】
【発明の効果】
以上述べたように、本発明によれば、監視対象を複数の監視カメラを用いて撮影し、画像認識によりアラーム信号を生成し、そのアラーム信号に基づいて少なくとも１台の監視カメラが撮影する監視対象の映像を記録することにより、監視妨害にも対応できる監視カメラシステムを提供することができる。
【図面の簡単な説明】
【図１】本発明の監視カメラシステムの実施の形態の構成を示すブロック図。
【符号の説明】
１  監視カメラ
１１  撮像部
１２  アラームセンサ
１３  画像認識部
２  制御装置
３  映像記録装置
２０  監視対象
【図１】
2005033376.tif 000003